(57)【要約】  【目的】隣接妨害を回避するシーク手段またはＲＤＳのＡＦサーチ手段を備えるラジオチューナを提供する。  【構成】受信周波数を所定周波数間隔でステップして変化させるとともに、各ステップの受信周波数において放送局の有無を判定し、放送局有りと判定された場合に、更に、当該受信周波数に隣接する前後１ステップの隣接受信周波数を受信してその各シグナルメータの信号強度Ｘ０、Ｘ１検出を行い、各シグナルメータの信号強度Ｘ０、Ｘ１が共に所定レベル未満と判定された場合にのみ、当該受信周波数の受信状態を維持し、隣接受信周波数の少なくとも１つのシグナルメータの信号強度Ｘ０またはＸ１が所定レベル以上と判定された場合は、次の受信周波数へのシーク動作を続行する隣接妨害回避手段を備える構成。【選択図】  図１
2006340004.tif 000002
【特許請求の範囲】
【請求項１】
受信周波数を所定周波数間隔で順次にステップして変化させるとともに、各ステップの受信周波数において放送局の有無を判定し、放送局有りと判定された場合に、当該受信周波数の放送局の受信状態を維持し、次の受信周波数へのステップを停止して自動選局を行うシーク手段を備えるラジオチューナにおいて、
前記シーク手段は、放送局有りと判定された場合に、更に、当該受信周波数に隣接する前後１ステップの隣接受信周波数を受信してその各シグナルメータの信号強度検出を行い、前記隣接受信周波数における各シグナルメータの信号強度が共に所定レベル未満と判定された場合にのみ、当該受信周波数の放送局の受信状態を維持し、前記隣接受信周波数における少なくとも１つのシグナルメータの信号強度が所定レベル以上と判定された場合は、次の受信周波数へのステップを続行する隣接妨害回避手段を備えることを特徴とするラジオチューナ。
【請求項２】
受信状態が悪化した場合に、ミュート状態にして受信周波数をＲＤＳデータから得られた代替候補局の周波数に設定し、基準電界強度以上の代替候補局の有無を判定し、代替候補局有りと判定された場合に、当該受信周波数の代替候補局の信号強度判定とプログラム識別コード判定を行い、基準以上の信号強度の正規の代替候補局の場合に前記代替候補局の受信状態を維持し、サーチを停止して代替候補局への切り替えを行うＡＦサーチ手段を備えるラジオ・データ・システムのラジオチューナにおいて、
前記ＡＦサーチ手段は、代替候補局有りと判定された場合に、更に、当該代替候補局の周波数に隣接する１ステップ前後の隣接受信周波数を受信してその各シグナルメータの信号強度検出を行い、前記隣接受信周波数における各シグナルメータの信号強度が所定レベル未満と判定された場合にのみ、当該受信周波数の代替候補局有りの判定を維持し、前記隣接受信周波数における少なくとも１つのシグナルメータの信号強度が所定レベル以上と判定された場合は、代替候補局無しとして次の代替候補局のサーチに移行する隣接妨害回避手段を備えることを特徴とするラジオチューナ。
【発明の詳細な説明】
【技術分野】
【０００１】
本発明は、ラジオチューナに関し、特に一般のＦＭラジオチューナやＲＤＳ（Radio Data System）受信機のラジオチューナにおける自動選局の技術に関する。
【背景技術】
【０００２】
一般に、通常のアナログＦＭ放送のＦＭラジオチューナは図３に示されるようなシンセサイザチューナ（ＰＬＬ方式）となっており、ＦＭアンテナの受信信号を受ける同調回路１と、ＲＦアンプ２と、第１ミキサ３と、ＶＣＯの第１局部発振器４とからなるフロントエンド部と、前記第１局部発振器４の発振周波数をロックする図示されない基準発振器（１００ｋＨｚ）、１／１０分周器、位相比較、低域フィルタ、１／ＮカウンタからなるＰＬＬ回路５と、１段乃至２段のＩＦフィルタ６と、ＩＦアンプ７と、第２ミキサ８と、第２局部発振器９と、ＦＭ検波１０とからなる中間周波部と、を備えており、所謂ＦＭチューナパック１５として１個乃至数個のＬＳＩを主体とする混成集積回路ブロックに纏められて市販されている。
【０００３】
そして、通常は、マイクロコンピュータ２０によるソフト制御によって、ＰＬＬ回路５の１／ＮカウンタのＮ値をステップさせることで受信周波数を所定周波数間隔（１００ｋＨｚ）で順次にステップして変化させるとともに、各ステップの受信周波数において放送局の有無を判定し、放送局有りと判定された場合には、当該受信周波数の放送局の受信状態を維持し、次の受信周波数へのステップを停止して自動選局を行う所謂シーク手段を備えている。
【０００４】
上記シーク手段において各ステップの受信周波数で放送局の有無を判定する手順としては、図４に示されるフローチャートのように、現在の受信周波数での受信状態から、前記ＰＬＬ回路５における次のＮ値計算を行い、ＰＬＬ回路５のＮ値設定を行って次の受信周波数へステップして、所定時間経過後に、当該受信周波数での電界強度（Ｓメータ１１のＤＣ電圧レベル）を検出して所定レベル以上か否かを判定するＳＤ（Signal Detector）判定を行い、所定レベル以上の場合（ＹＥＳ）は、更に、前記ＩＦアンプ７におけるＩＦ周波数の所定観測時間（所謂ゲート時間と称される短い時間）におけるピーク値のカウント数をＩＦカウンタ１２で検出して正規のＩＦ周波数（１０．７ＭＨｚ）であることの１／０判定（ＩＦカウント判定）を１回乃至数回行い、当該周波数での放送局の有無を判定する。そして局有りと判定された場合（ＹＥＳ）には、当該受信周波数での放送局の受信状態を維持し、次の受信周波数へのステップを停止して自動選局を終了するのが基本的な手順である。
【０００５】
次に、欧州などで実用化されているＲＤＳのラジオ受信機が用いていＲＤＳラジオチューナは、図５に示されるようなブロック構成であり、前述の一般のＦＭチューナパックとマイクロコンピュータの回路構成に加えて、ＲＤＳ用ＦＭチューナパック１６からのＲＤＳデータ出力を受けてＲＤＳデータを取得して１／０信号でマイクロコンピュータ２１に出力するＲＤＳデモジュレータ１７を備えている。
【０００６】
そして、通常は、マイクロコンピュータ２１によるソフト制御によって、前述と同様のシーク手段に加えて、ＲＤＳ特有の代替候補局サーチ（ＡＦ（Auto Frequency）サーチ）手段を備えている。
【０００７】
即ち、受信状態が悪化した場合に、ミュート状態にして受信周波数をＲＤＳデータから得られた代替候補局の周波数に設定し、基準電界強度以上の代替候補局の有無を判定し、代替候補局有りと判定された場合に、当該受信周波数の代替候補局の信号強度判定とプログラム識別コード判定を行い、基準以上の信号強度の正規の代替候補局の場合に前記代替候補局の受信状態を維持し、サーチを停止して代替候補局への切り替えを行う自動切り替え機能を通常有している。
【０００８】
上記代替候補局のＡＦサーチ手段において、受信可能な代替候補局の有無を判定する手順としては、前記マイクロコンピュータ２１のソフト制御によって、現在受信している放送局の受信状態が悪化した場合、例えば、図５におけるＳメータ１１のＤＣ電圧を監視して、ある閾値より低下した場合や、マルチパス検出回路１８にて、ＦＭ検波信号に含まれるマルチパス成分を増幅・ＤＣ化して、ある閾値以上になった場合などに、これらをトリガーとして自動的にＡＦサーチモードに切り替わり、図６に示されるフローチャートのように、先ず前記ＲＤＳデモジュレータ１７のＲＤＳデータから代替候補局のチェックを開始し、ミュート状態にし、チェックされた代替候補局の周波数に受信状態を設定し、その電界強度を検出してレベル判定を行う。
【０００９】
上記レベル判定で例えば２９（２４）ｄＢμＶの基準値以上でＡＦ候補局有りと判定された場合（ＹＥＳ）は、前述のＦＭチューナと同様のＳＤ判定、ＩＦカウント判定を行い、更に、ＲＤＳデータから取得された代替候補局のＲＤＳプログラム識別コード（ＰＩ）が現在受信している放送局のＰＩコードと同じか否かを判定するＰＩコード判定を行って、同じであれば正規の代替候補局として以後その受信状態を維持し、ミュートを解除してＡＦサーチを完了するというのが基本的な手順である。勿論、上記各段階の判定がＮＯであれば、次の代替候補局のＡＦサーチに移行することになる。
【００１０】
ところで、上記ラジオチューナの隣接妨害対策に関係する公知文献としては、例えば下記［特許文献１］には、ＦＭフロントエンド部と、前記ＦＭフロントエンド部の出力を受ける第１のＩＦ帯域増幅部と、前記ＦＭフロントエンド部の出力を受け、前記第１のＩＦ帯域増幅部よりも狭帯域の第２のＩＦ帯域増幅部と、前記第１及び第２のＩＦ帯域増幅部の出力を切り替えるスイッチ部と、前記スイッチ部で切替出力される第１若しくは第２のＩＦ帯域増幅部の出力をＦＭ復調するＦＭ復調器と、前記ＦＭ復調器の出力に隣接妨害が生じていることを検出した場合には、前記スイッチ部が前記第２のＩＦ帯域増幅部の出力を選択するよう制御する隣接妨害検出部と、前記スイッチ部の切り替えに応じて、ステレオフルセパレーションが得られるようにＦＭ多重信号を含んだコンポジット信号の周波数特性を補正する周波数特性補正手段と、前記周波数特性補正手段の出力によりステレオ復調するステレオ復調器とを有し、前記周波数特性補正手段の出力によりＦＭ多重復調する構成のＦＭステレオチューナが開示されている。
【００１１】
また、下記［特許文献２］には、隣接局の有無にかかわらず適切な受信状態の設定を行うことができるラジオ受信機として、隣接局検出回路によって、受信周波数に隣接する搬送波周波数を有するＩＢＯＣ局が検出されると、制御部は、ステレオ復調回路、ソフトミュート回路等に指示を送って、チャンネルセパレーション特性、ブレンド特性、ハイカット特性、ソフトミュート特性等の入出力特性の制御内容を変更し、また、前記制御部は、マルチパス検出回路と隣接妨害検出回路に指示を送って、マルチパス妨害や隣接妨害の検出用閾値を変更するという構成のラジオ受信機が開示されている。
【００１２】
更に、ＲＤＳラジオチューナのＡＦサーチ手段に関係する公知文献として、下記［特許文献３］には、ＲＤＳ受信機のＡＦサーチ時のミュート動作による音声音切れ感を改善するものとして、受信している音声信号に含まれるノイズの発生量を検出し、このノイズの発生期間に隠れる形でＡＦサーチ動作を行うよう制御する構成が示されている。
【００１３】
【特許文献１】特開平６−１１２９１４号公報
【００１４】
【特許文献２】特開２００５−５８１９号公報
【特許文献３】実開平５−６３１２２号公報
【発明の開示】
【発明が解決しようとする課題】
【００１５】
前述のようなシーク手段を備えるＦＭラジオチューナにおいて、シーク動作で或る受信周波数でシーク停止し、その受信周波数のＦＭ放送局の受信を開始しても所謂隣接妨害の影響によりリスニングに堪えない場合が少なからずあり、また、前述のＲＤＳラジオチューナにおけるＡＦサーチ手段によって代替候補局への切り替えが完了したものの隣接妨害（ノイズ）により、直ぐに他の周波数の代替候補局を再びサーチするといったユーザーが不満に感じる受信状態を招く恐れがある。
【００１６】
このようなリスニングにとって好ましくない結果となるラジオチューナの自動選局動作は、特に、受信状態が時々刻々変化する車載用ラジオ受信機において顕著となる。
【００１７】
この点、前記［特許文献１］に記載されたＦＭステレオチューナでは、隣接妨害対策として、ＩＦ帯域特性における選択度を変更して受信信号を増幅する選択度設定手段と、選択度に応じてコンポジット信号の周波数特性を補正する周波数特性補正手段を構成要素とするものであり、既存のチューナパックを其のまま使用することはできず、新たな設計が必要となってコスト増は避けられない。また、シーク動作時の隣接妨害に対する適用についての示唆は示されていない。
【００１８】
また、前記［特許文献２］に記載されたラジオ受信機では、隣接妨害の有無を判定する際の閾値を可変にすること、隣接妨害が発生したときにＩＦ信号の中から所定の帯域成分のみを通過させるバンドパスフィルタの帯域を狭くすることの技術が記載されているが、シーク動作時に隣接妨害がある場合の対策についての示唆はない。
【００１９】
更に、前記［特許文献３］に記載されたＲＤＳ受信機は、ＡＦサーチ時の音声音切れ感を改善するものであり、隣接妨害がある場合の代替候補局の適切な選局に関する示唆は無い。
【００２０】
本発明は上記事情に鑑みてなされたものであり、ＦＭラジオ受信機やＲＤＳラジオ受信機に搭載されるラジオチューナにおけるシーク時やＡＦサーチ時の隣接妨害による好ましくない自動選局を回避して、適正なシーク動作及びＲＤＳのＡＦサーチ動作を実現するラジオチューナの実現を目的とする。
【課題を解決するための手段】
【００２１】
本発明は、
（１）  受信周波数を所定周波数間隔で順次にステップして変化させるとともに、各ステップの受信周波数において放送局の有無を判定し、放送局有りと判定された場合に、当該受信周波数の放送局の受信状態を維持し、次の受信周波数へのステップを停止して自動選局を行うシーク手段を備えるラジオチューナにおいて、前記シーク手段は、放送局有りと判定された場合に、更に、当該受信周波数に隣接する前後１ステップの隣接受信周波数を受信してその各シグナルメータの信号強度検出を行い、前記隣接受信周波数における各シグナルメータの信号強度が共に所定レベル未満と判定された場合にのみ、当該受信周波数の放送局の受信状態を維持し、前記隣接受信周波数における少なくとも１つのシグナルメータの信号強度が所定レベル以上と判定された場合は、次の受信周波数へのステップを続行する隣接妨害回避手段を備えることを特徴とするラジオチューナを提供することにより、上記課題を解決する。
（２）  受信状態が悪化した場合に、ミュート状態にして受信周波数をＲＤＳデータから得られた代替候補局の周波数に設定し、基準電界強度以上の代替候補局の有無を判定し、代替候補局有りと判定された場合に、当該受信周波数の代替候補局の信号強度判定とプログラム識別コード判定を行い、基準以上の信号強度の正規の代替候補局の場合に前記代替候補局の受信状態を維持し、サーチを停止して代替候補局への切り替えを行うＡＦサーチ手段を備えるラジオ・データ・システムのラジオチューナにおいて、前記ＡＦサーチ手段は、代替候補局有りと判定された場合に、更に、当該代替候補局の周波数に隣接する１ステップ前後の隣接受信周波数を受信してその各シグナルメータの信号強度検出を行い、前記隣接受信周波数における各シグナルメータの信号強度が所定レベル未満と判定された場合にのみ、当該受信周波数の代替候補局有りの判定を維持し、前記隣接受信周波数における少なくとも１つのシグナルメータの信号強度が所定レベル以上と判定された場合は、代替候補局無しとして次の代替候補局のサーチに移行する隣接妨害回避手段を備えることを特徴とするラジオチューナを提供することにより、上記課題を解決する。
【発明の効果】
【００２２】
本発明に係るラジオチューナは、上記のように構成されているため、
（１）ＦＭラジオチューナにおけるシーク動作時に、隣接妨害の影響が少ないリスニングに好適な放送局の自動選択がなされるという優れた効果を有する。
（２）ＲＤＳラジオチューナにおけるＡＦサーチ動作時に、隣接妨害の影響が少ないリスニングに好適な代替候補局への自動切り替えがなされるという優れた効果を有する。
（３）既存のチューナパック自体に隣接妨害検出機能が無くても、マイクロコンピュータのソフトウェアの変更のみで、シーク動作時やＡＦサーチ動作時の隣接妨害の判定を踏まえた好適な受信状態の放送局への選局が低コストで実現できる。
【発明を実施するための最良の形態】
【００２３】
本発明に係るラジオチューナの実施の形態について、図面に基づき説明する。なお、本発明に係るＦＭラジオチューナとＲＤＳラジオチューナのブロック構成は公知技術の図３のＦＭラジオチューナ及び図５のＲＤＳラジオチューナと同様であり、それらの詳細な説明は省略し、専ら本発明に特徴的なＦＭラジオチューナのシーク手段における隣接妨害回避手段と、ＲＤＳラジオチューナのＡＦサーチ手段における隣接妨害回避手段について詳述する。
【００２４】
図１は本発明に係るＦＭラジオチューナのコントローラのマイクロコンピュータがソフト制御するシーク手段の処理手順のフローチャートである。図２は本発明に係るＲＤＳラジオチューナのコントローラのマイクロコンピュータがソフト制御するＡＦサーチ手段の処理手順のフローチャートである。
【００２５】
図３のようなブロック構成の本発明に係るシーク手段を備えるＦＭラジオチューナのシーク手段は、特に、図１のフローチャートの破線枠で囲まれた追加の処理で示されるように、従来と同様のＳＤ判定及びＩＦカウント判定によって或るステップの受信周波数で放送局有りと判定された場合に、更に、当該受信周波数に隣接する前後１ステップの隣接受信周波数（隣接局）を受信してそれらの各シグナルメータの信号強度Ｘ０、Ｘ１の検出を行い、前記隣接受信周波数におけるシグナルメータの信号強度Ｘ０、Ｘ１が共に所定レベル未満と判定された場合にのみ、シーク動作を停止して当該受信周波数の放送局の受信状態を維持し、前記隣接受信周波数におけるシグナルメータの信号強度Ｘ０、Ｘ１の少なくとも１つが所定レベル以上と判定された場合は、シーク動作を停止せずに次の受信周波数（次Ｎ値）へのステップを続行するようにマイクロコンピュータ２０がＰＬＬ回路５に対するソフト制御によって実現する隣接妨害回避手段を備える構成になっている。
【００２６】
上記隣接妨害の有無の判定は、リスニング上殆ど影響のない数ミリ秒程度の短時間のミュート状態において、ＰＬＬ回路５のＮ値を現在の受信周波数から±１カウントして隣接周波数の受信状態にスイッチし、そのＳメータのＤＣ電圧レベルをマイクロコンピュータ２０で基準レベルとそれぞれ判定することとする。この場合の基準レベルは適宜設定されるが、例えば図１に示されるように当該受信周波数のシーク停止局のＳメータの信号強度Ｘを基準として、ＸとＸ０、ＸとＸ１の大小を比較するのがマイクロコンピュータ２０内のソフトウェアのみの変更で実現できるので簡単で好適な例として挙げられる。
【００２７】
上記処理手順に従った隣接妨害回避動作によって、シーク動作中にＳＤ判定とＩＦカウント判定で受信可能な放送局が当該ステップの受信周波数で有ると判定されても、リスニングに好適でないほどの隣接妨害が有る場合には、その放送局が選局されずにシーク動作を続けることになり、次以降のステップでリスニングに好適な放送局が選局されることになる。
【００２８】
次に、図５のようなブロック構成の本発明に係るＲＤＳラジオチューナのＡＦサーチ手段は、従来のＲＤＳラジオチューナと同様に、受信状態が悪化した場合に、ミュート状態にして受信周波数をＲＤＳデータから得られた代替候補局の周波数に設定し、基準電界強度以上の代替候補局の有無を判定するが、特に、図２のフローチャートの破線枠で囲まれた追加の処理で示されるように、代替候補局有りと判定された場合に、更に、当該代替候補局の周波数に隣接する１ステップ前後の隣接受信周波数（ＰＬＬ回路５のＮ値カウンタの±１のＮ値）を受信してその各シグナルメータの信号強度Ｘ０、Ｘ１の検出を行い、前記各隣接受信周波数における各シグナルメータの信号強度Ｘ０、Ｘ１が共に所定レベル未満と判定された場合にのみ、当該受信周波数の代替候補局有りの判定を維持し、前記隣接受信周波数における少なくとも１つのシグナルメータの信号強度Ｘ０またはＸ１が所定レベル以上と判定された場合は、代替候補局無しとして次の代替候補局のサーチに移行する隣接妨害回避手段を備える構成となっている。
【００２９】
なお、上記隣接妨害の有無の判定は、リスニング上殆ど影響のない数ミリ秒程度の短時間のミュート状態において、ＰＬＬ回路５のＮ値を現在の受信周波数のＮ値から±１カウントして隣接周波数の受信状態にスイッチし、そのＳメータの信号強度（ＤＣ電圧レベル）Ｘ０、Ｘ１をマイクロコンピュータ２１で基準レベルとそれぞれ判定することとする。この場合の基準レベルは適宜設定されるが、例えば図２に示されるように当該受信周波数のシーク停止局のＳメータの信号強度Ｘを基準として、ＸとＸ０、ＸとＸ１の大小を比較するのが簡単で好適な例として挙げられる。
【００３０】
上記処理手順に従った隣接妨害回避動作によって、ＡＦサーチ動作中に十分な電界強度の代替候補局が有ると判定されても、リスニングに好適でないほどの隣接妨害が伴う場合には、その代替候補局へスイッチされずにＡＦサーチ動作を続けて次の代替候補局がサーチされることになり、よりリスニングに好適な代替候補局へのスイッチ（選局）が実現することになる。
【図面の簡単な説明】
【００３１】
【図１】本発明に係るＦＭラジオチューナのコントローラのマイクロコンピュータがソフト制御するシーク手段の処理手順のフローチャートである。
【図２】本発明に係るＲＤＳラジオチューナのコントローラのマイクロコンピュータがソフト制御するＡＦサーチ手段の処理手順のフローチャートである。
【図３】通常のアナログＦＭ放送のＦＭラジオチューナのブロック構成図である。
【図４】ＦＭラジオチューナのシーク手段の処理手順を示すフローチャート図である。
【図５】ＲＤＳラジオチューナのブロック構成図である。
【図６】ＲＤＳラジオチューナのＡＦサーチ手段の処理手順を示すフローチャート図である。
【符号の説明】
【００３２】
１      同調回路
２      ＲＦアンプ
３      第１ミキサ
４      第１局部発振器
５      ＰＬＬ回路
６      ＩＦフィルタ
７      ＩＦアンプ
８      第２ミキサ
９      第２局部発振器
１０      ＦＭ検波
１１      Ｓメータ
１２      ＩＦカウンタ
１５      ＦＭチューナパック
１７      ＲＤＳデモジュレータ
１８      マルチパス検出回路
２０、２１      マイクロコンピュータ
【図１】
2006340004.tif 000003
【図２】
2006340004.tif 000004
【図３】
2006340004.tif 000005
【図４】
2006340004.tif 000006
【図５】
2006340004.tif 000007
【図６】
2006340004.tif 000008